(57)【特許請求の範囲】
【請求項１】
ビデオゲームの進行を制御するビデオゲーム処理装置であって、
前記ビデオゲームにおける対戦に用いられる複数の仮想カードに関する仮想カード情報を記憶する仮想カード情報記憶手段と、
音楽データと、音楽の属性を示す属性情報とを含む音楽情報を記憶する音楽情報記憶手段と、
前記複数の仮想カードのうち少なくとも１つが属する仮想カード群を管理するための情報であって、複数の仮想カード群と、該複数の仮想カード群それぞれの被選択条件として設定された音楽の属性に関連する条件とを含む仮想カード群管理情報を記憶する仮想カード群管理情報記憶手段と、
前記ビデオゲームを遊戯するプレイヤによる前記音楽データの選択操作を受け付ける選択操作受付手段と、
前記選択操作受付手段により受け付けられた選択操作に応じた音楽データの属性情報を特定する属性情報特定手段と、
該属性情報特定手段により特定された属性情報に基づいて、前記被選択条件が満たされた仮想カード群を検索する仮想カード群検索手段と、
所定の抽出規則に基づいて、前記仮想カード群検索手段により検索された仮想カード群に属する仮想カードの中から所定数の仮想カードを抽出する仮想カード抽出手段と、
該仮想カード抽出手段により抽出された仮想カードを前記プレイヤに提供する仮想カード提供手段とを含む
ことを特徴とするビデオゲーム処理装置。
【請求項２】
前記音楽データは、前記ビデオゲームの進行と独立して再生可能な音楽データである
請求項１記載のビデオゲーム処理装置。
【請求項３】
所定の表示形態で前記音楽データが選択可能に表示される音楽データ選択画面を表示装置の表示画面に表示する音楽データ選択画面表示手段を含み、
前記選択操作受付手段は、前記音楽データ選択画面に対する選択操作を前記音楽データの選択操作として受け付ける
請求項１または請求項２記載のビデオゲーム処理装置。
【請求項４】
前記ビデオゲームの進行に応じて前記プレイヤに付与され得る仮想チケットが前記プレイヤにより使用されたか否かを判定する仮想チケット使用判定手段を含み、
前記音楽データ選択画面表示手段は、前記仮想チケット使用判定手段により前記仮想チケットが使用されたと判定された場合に前記音楽データ選択画面を表示する
請求項３記載のビデオゲーム処理装置。
【請求項５】
ビデオゲームの進行を制御する機能をコンピュータに実現させるためのビデオゲーム処理プログラムであって、
前記ビデオゲームにおける対戦に用いられる複数の仮想カードに関する仮想カード情報を記憶する仮想カード情報記憶手段と、音楽データと、音楽の属性を示す属性情報とを含む音楽情報を記憶する音楽情報記憶手段と、前記複数の仮想カードのうち少なくとも１つが属する仮想カード群を管理するための情報であって、複数の仮想カード群と、該複数の該複数の仮想カード群それぞれの被選択条件として設定された音楽の属性に関連する条件とを含む仮想カード群管理情報を記憶する仮想カード群管理情報記憶手段とを備えるコンピュータに、
前記ビデオゲームを遊戯するプレイヤによる前記音楽データの選択操作を受け付ける選択操作受付機能と、
前記選択操作受付機能にて受け付けた選択操作に応じた音楽データの属性情報を特定する属性情報特定機能と、
該属性情報特定機能にて特定した属性情報に基づいて、前記被選択条件が満たされた仮想カード群を検索する仮想カード群検索機能と、
所定の抽出規則に基づいて、前記仮想カード群検索機能によって検索した仮想カード群に属する仮想カードの中から所定数の仮想カードを抽出する仮想カード抽出機能と、
該仮想カード抽出機能によって抽出した仮想カードを前記プレイヤに提供する仮想カード提供機能とを
実現させるためのビデオゲーム処理プログラム。
【発明の詳細な説明】
【技術分野】
【０００１】
本発明は、ビデオゲームの進行を制御するための技術に関する。
【背景技術】
【０００２】
従来、ビデオゲームの分野において、プレイヤが操作するキャラクタ（プレイヤキャラクタ）とコンピュータまたは他のプレイヤによって操作されるキャラクタ（敵キャラクタ）との対戦を行うものが数多く知られている。
【０００３】
このような分野では、所定のパラメータ（攻撃力など）が設定されたカード（ビデオゲーム内で登場するカード。仮想カード。）を用いるビデオゲームも広く知られている（非特許文献１参照）。近年、このようなビデオゲームでは、カードを景品とした景品くじ（ガチャ）をユーザに行わせるものが提案されている。
【先行技術文献】
【特許文献】
【０００４】
【非特許文献１】“武将カードについて”、［online］、［平成２４年４月２７日検索］、株式会社スクウェア・エニックス、インターネット＜URL:http://sengokuixa.jp/help/ixa_help05.html＞
【発明の概要】
【発明が解決しようとする課題】
【０００５】
しかし、こうした従来のビデオゲームでは、ガチャを行う際に使用するゲーム内アイテムや課金の有無によってガチャにより得られるカードの種類（レアリティなど）を決定するものがほとんどであり、新たなガシャシステムが提供されていないという課題があった。すなわち、プレイヤにとっては、ガチャの種類（得られる可能性のあるカードの種類）の選択肢が使用するゲーム内アイテム（無料と有料のものを含む）の種類に限定されるており、目新しさに欠け、趣向性に欠けるという問題があった。
【０００６】
本発明は、上記の問題を解決すべく、新たなガシャシステムを実現することを目的とする。
【課題を解決するための手段】
【０００７】
本発明のビデオゲーム処理装置は、ビデオゲームの進行を制御するビデオゲーム処理装置であって、前記ビデオゲームにおける対戦に用いられる複数の仮想カードに関する仮想カード情報を記憶する仮想カード情報記憶手段と、前記複数の仮想カードのうち少なくとも１つが属する仮想カード群を管理するための情報であって、複数の仮想カード群と、該複数の仮想カード群それぞれが選択される被選択条件とを示す仮想カード群管理情報を記憶する仮想カード群管理情報記憶手段と、前記ビデオゲームの進行と独立して再生可能な音楽データに関する情報であって、音楽の属性を示す属性情報を含む音楽情報を記憶する音楽情報記憶手段と、前記ビデオゲームを遊戯するプレイヤによる前記音楽データの選択操作を受け付ける選択操作受付手段と、該選択操作受付手段により前記選択操作が受け付けられたことに応じて、前記仮想カード群管理情報を参照し、前記被選択条件が満たされた仮想カード群を検索する仮想カード群検索手段と、所定の抽出規則に基づいて、前記仮想カード群検索手段により検索された仮想カード群に属する仮想カードの中から所定数の仮想カードを抽出する仮想カード抽出手段と、該仮想カード抽出手段により抽出された仮想カードを前記プレイヤに提供する仮想カード提供手段とを含むことを特徴とする。
【０００８】
上記の構成としたことで、新たなガシャシステムを実現することができるようになる。
【０００９】
前記選択操作受付手段により受け付けられた選択操作に応じた音楽データの前記属性情報を特定する属性情報特定手段とを含み、前記仮想カード群検索手段は、前記属性情報特定手段により特定された属性情報に基づいて前記被選択条件が満たされた仮想カード群を検索する構成とされていてもよい。
【００１０】
所定の表示形態で前記音楽データが選択可能に表示される音楽データ選択画面を表示装置の表示画面に表示する音楽データ選択画面表示手段を含み、前記選択操作受付手段は、前記音楽データ選択画面に対する選択操作を前記音楽データの選択操作として受け付ける構成とされていてもよい。
【００１１】
前記ビデオゲームの進行に応じて前記プレイヤに付与され得る仮想チケットが前記プレイヤにより使用されたか否かを判定する仮想チケット使用判定手段を含み、前記音楽データ選択画面表示手段は、前記仮想チケット使用判定手段により前記仮想チケットが使用されたと判定された場合に前記音楽データ選択画面を表示する構成とされていてもよい。
【００１２】
さらに、本発明のビデオゲーム処理プログラムは、ビデオゲームの進行を制御する機能をコンピュータに実現させるためのビデオゲーム処理プログラムであって、前記ビデオゲームにおける対戦に用いられる複数の仮想カードに関する仮想カード情報を記憶する仮想カード情報記憶手段と、前記複数の仮想カードのうち少なくとも１つが属する仮想カード群を管理するための情報であって、複数の仮想カード群と、該複数の仮想カード群それぞれが選択される被選択条件とを示す仮想カード群管理情報を記憶する仮想カード群管理情報記憶手段と、前記ビデオゲームの進行と独立して再生可能な音楽データに関する情報であって、音楽の属性を示す属性情報を含む音楽情報を記憶する音楽情報記憶手段とを備えるコンピュータに、前記ビデオゲームを遊戯するプレイヤによる前記音楽データの選択操作を受け付ける選択操作受付機能と、該選択操作受付機能によって前記選択操作が受け付けたことに応じて、前記仮想カード群管理情報を参照し、前記被選択条件が満たされた仮想カード群を検索する仮想カード群検索機能と、所定の抽出規則に基づいて、前記仮想カード群検索機能によって検索した仮想カード群に属する仮想カードの中から所定数の仮想カードを抽出する仮想カード抽出機能と、該仮想カード抽出機能によって抽出した仮想カードを前記プレイヤに提供する仮想カード提供機能とを実現させるためのものである。
【発明の効果】
【００１３】
本発明によれば、新たなガシャシステムを実現することができるようになる。
【図面の簡単な説明】
【００１４】
【図１】ビデオゲーム処理装置の構成例を示すブロック図である。
【図２】仮想カード情報の格納状態の例を示す説明図である。
【図３】プレイヤ情報の格納状態の例を示す説明図である。
【図４】仮想カード群管理情報の格納状態の例を示す説明図である。
【図５】音楽情報の格納状態の例を示す説明図である。
【図６】対戦画面の例を示す説明図である。
【図７】対戦におけるカードの利用方法について説明するための説明図である。
【図８】カード提供処理の例を示すフローチャートである。
【図９】対戦処理の例を示すフローチャートである。
【図１０】対戦画面の例について説明するための説明図である。
【発明を実施するための形態】
【００１５】
以下、本発明の第１の実施の形態について図面を参照して説明する。
【００１６】
図１は、本発明の一実施の形態におけるビデオゲーム処理装置１００の構成例を示すブロック図である。図１に示すように、ビデオゲーム処理装置１００は、ゲームプログラム読取部１０、制御部１１、記憶部１２、表示部１３、音声出力部１４、およびプレイヤ操作受付部１５と、通信部１６とを含む。
【００１７】
プログラム読取部１０は、各種ビデオゲームプログラムが格納された記憶媒体を内蔵する記憶媒体から必要なビデオゲームプログラムを読み出す機能を有する。なお、本例においては、プログラム読取部１０は、ビデオゲームプログラムが格納された着脱可能なゲームカートリッジ２０を装着する装着部を有し、プレイヤ（ビデオゲーム処理装置１００の操作者（ユーザ））により装着部に装着されたゲームカートリッジ２０の記憶媒体からゲームプログラムを読み出し、記憶部１２に格納する。なお、本例で用いられるビデオゲームプログラムに従って実行されるビデオゲームは、ＡＴＢシステムとコンボシステムとを採用するビデオゲームであればどのようなものであってもよい。
【００１８】
制御部１１は、プログラム読取部１０により読み取られ記憶部１２に格納されたゲームプログラムを実行し、プレイヤの操作に応じてビデオゲームを進行するための各種の制御を実行する機能を有する。
【００１９】
記憶部１２は、ビデオゲームを進行する際に必要なビデオゲームプログラムや各種のデータを記憶する記憶媒体である。記憶部１２は、例えばＲＡＭなどの不揮発性のメモリによって構成される。記憶部１２には、ゲームの進行に従って登録・更新される各種の情報や、ゲームカートリッジ２０に内蔵される記憶媒体から読み出されたゲームにおいて使用される各種の情報が格納される。
【００２０】
なお、ビデオゲーム処理装置１００が、ビデオゲームプログラムを図示しないゲームプログラム提供サーバからインターネット等の通信ネットワークを介してダウンロードして記憶部１２に格納する構成としてもよい。
【００２１】
本例においては、記憶部１２は、仮想カード情報記憶部１２ａと、プレイヤ情報記憶部１２ｂと、仮想カード群管理情報記憶部１２ｃと、音楽情報記憶部１２ｄとを含む。
【００２２】
仮想カード情報記憶部１２ａは、ビデオゲーム処理装置１００が進行を制御するビデオゲームにおける対戦に用いられるカード（仮想カード）に関する情報である仮想カード情報を記憶する記憶媒体である。本例のビデオゲームにおいては、実物のカードを用いることは無いものとし、以下、適宜仮想カードのことを「カード」と呼ぶこととする。
【００２３】
図２は、仮想カード情報記憶部１２ａに記憶された仮想カード情報の格納状態の例を示す説明図である。図２に示すように、仮想カード情報は、カード番号と、カード名と、レアリティと、攻撃内容と、防御力と、カードコストと、スピードとを含む。
【００２４】
ここで、「レアリティ」とは、カードの希少度を意味する。本例においては、各カードのレアリティとして、「ノーマル」と「レア」とがある場合を例にして説明を行う。
【００２５】
また、「攻撃内容」とは、カードを対戦で使用する場合に実行される攻撃の内容を意味する。本例においては、攻撃内容として、攻撃力と、攻撃演出情報が含まれるものとする。攻撃力とは、対戦相手の体力値（ＨＰ）を減算値の算出に用いる値である。攻撃演出情報とは、カードの使用条件（攻撃条件）が満たされたときに表示画面に特定のゲーム演出（攻撃演出）を表示するための情報である。
【００２６】
また、「カードコスト」とは、プレイヤ（またはプレイヤキャラクタ）に設定する際に利用される値である。本例においては、プレイヤに設定可能なコスト（許容コスト）が決められており、プレイヤは、許容コスト内でカードを設定する必要がある。なお、許容コストは、例えばプレイヤの能力（ビデオゲームの進行に応じて変化するプレイヤレベルなど）に応じて変動する構成とされていてもよい。
【００２７】
また、「スピード」とは、各カードを対戦で用いる場合に、各カードの攻撃条件に影響する値を示す。本例においては、スピードには３段階があり（Ａ，Ｂ，Ｃ）、スピードが速いほど、対戦においてカードに応じた攻撃が実行される回数が多くなる。対戦の詳細については、後で説明する。
【００２８】
なお、図示しないが、本例における仮想カード情報は、カードに描かれるキャラクタの性別や属するカテゴリ（例えば、いわゆる三すくみの関係を築くカテゴリ）など、カードの特徴を示す情報（特徴情報）が含まれるものとする。
【００２９】
プレイヤ情報記憶部１２ｂは、ビデオゲームを遊戯するプレイヤに関するプレイヤ情報を記憶するための記憶媒体である。
【００３０】
図３は、プレイヤ情報記憶部１２ｂに記憶されたプレイヤ情報の格納状態の例を示す説明図である。図３に示すように、プレイヤ情報は、プレイヤ名と、スタミナと、許容コストと、ＨＰと、設定カード情報とを含む。
【００３１】
ここで、「スタミナ」とは、ビデオゲームを進める上で必要な要素である。本例においては、ビデオゲームの進行に応じてスタミナが「０」になると、プレイヤは、ビデオゲームを進めることができなくなる。そして、ビデオゲーム処理装置１００は、時間の経過に応じてスタミナを回復させるほか、プレイヤによる課金操作を受け付けた場合に、スタミナを回復させる。
【００３２】
また、「ＨＰ」は、プレイヤの体力値を示す。本例においては、ＨＰは、プレイヤに設定されたカード（すなわち、プレイヤが対戦に用いるカード群として設定したカード）の防御力の合計値であるものとする。
【００３３】
また、「設定カード情報」とは、プレイヤが対戦に用いるカードとして設定したカードを示す情報である。本例においては、設定仮想カード情報には、カードを一意に識別可能なカード番号が含まれる。
【００３４】
仮想カード群管理情報記憶部１２ｃは、複数の仮想カードのうち少なくとも１つが属する仮想カード群を管理するための情報であって、複数の仮想カード群と、該複数の仮想カード群それぞれが選択される被選択条件とを示す仮想カード群管理情報を記憶するための記憶媒体である。
【００３５】
図４は、仮想カード群管理情報記憶部１２ｃに記憶された仮想カード群情報の格納状態の例を示す説明図である。図４に示すように、仮想カード群管理情報は、カード群番号と、種類と、カード群名と、所属カードと、被選択条件とを含む。
【００３６】
本例におけるカード群の種類には、音楽生成と、無料と、有料とが含まれる。ここで、「音楽生成」とは、「音楽から自由に生成できる」という概念で作成されたカード群であり、ビデオゲームの進行（特に、イベント等）に応じてプレイヤに付与され得る仮想チケットを消費することで利用可能となるカード群である。また、「無料」とは、プレイヤが課金することなく利用可能なカード群である。また、「有料」とは、プレイヤが課金することで（例えば、ビデオゲーム内で購入可能な専用の仮想チケットを消費することで）利用可能となるカード群である。
【００３７】
また、「所属カード」とは、カード群に属するカードを意味する。プレイヤは、カード群を利用することで、カード群に属するカードからランダムに（または、特定の規則に従って）所定数のカードを取得することができる。本例においては、仮想カード群管理情報には、カード群に属するカードを示すカード番号が設定される。
【００３８】
また、「被選択条件」とは、ビデオゲームの進行に応じて各カード群が選択される条件を意味する。本例においては、被選択条件の内容はカード群毎に異なり、また、カード群の種類によってその系統が異なる。すなわち、例えば種類「音楽生成」のカード群であれば、被選択条件は「選択された音楽データに対応するボーカルの性別が男性であること」など、音楽データの属性に関連する条件が設定されている。また、種類「無料」の場合はビデオゲーム内で取得可能な仮想通貨の消費量などが、種類「有料」の場合は有料アイテムの消費量などが、それぞれ被選択条件として設定されている。
【００３９】
音楽情報記憶部１２ｄは、ビデオゲームの進行と独立して再生可能な音楽データに関する情報であって、音楽の属性を示す属性情報を含む音楽情報を記憶するための記憶媒体である。
【００４０】
図５は、音楽情報記憶部１２ｄに記憶された音楽情報の格納状態の例を示す説明図である。図５に示すように、音楽情報は、音楽データ識別情報と、属性情報とを含む。
【００４１】
ここで、「音楽データ識別情報」とは、音楽データを一意に識別可能な情報である。音楽データ識別情報は、音楽データに予め対応付けされている識別情報を用いる構成としてもよいし、制御部１１が新たに付与する構成としてもよい。
【００４２】
また、「属性情報」は、ジャンル、歌手名、ボーカルの性別など、音楽に関する各種属性を示す情報である。属性情報は、音楽データに予め対応付けされている識別情報を用いる構成としてもよいし、制御部１１が新たに付与する構成としてもよい。なお、音楽データ識別情報や属性情報を新たに付与する方法としては、音楽データから特定項目を抽出する方法や、プレイヤによる入力を受け付ける方法などが考えられる。
【００４３】
表示部１３は、制御部１１の制御に従って、ビデオゲームの進行やプレイヤ操作に応じたゲーム画面を表示する表示装置である。表示部１３は、例えば、液晶表示装置によって構成される。
【００４４】
音声出力部１４は、制御部１１の制御に従って、ビデオゲームの進行やプレイヤ操作に応じて音声を出力する。
【００４５】
プレイヤ操作受付部１５は、プレイヤ操作に応じた操作信号を受け付け、その結果を制御部１１に通知する。本例においては、操作受付部１５は、表示部１３に設けられたタッチパネルを介してプレイヤの操作を受け付ける。なお、操作受付部１５は、マウスやゲームパットなどのコントローラを介してプレイヤの操作を受け付ける構成とされていてもよい。
【００４６】
通信部１６は、インターネットなどの通信ネットワークに無線あるいは有線によって接続し、各種情報を送受信する。
【００４７】
次に、本例のビデオゲーム処理装置１００が制御するビデオゲームにおける対戦について説明する。本例においては、プレイヤが敵と戦闘を行う場合を例にして説明を行なう。ただし、対戦は、対戦相手同士が攻撃しあう意味での「戦闘」に限定されず、カードを利用して勝敗を決するものであればよい。
【００４８】
図６は、対戦画面の例を示す説明図である。図６に示すように、本例における対戦画面には、対戦に用いられるカードを表示するカード表示領域１０１と、プレイヤのＨＰを示すＨＰゲージ１０２と、対戦相手である敵キャラクタＮＰＣと、敵キャラクタのＨＰゲージ１０３と、敵キャラクタＮＰＣによる攻撃が実行されるまでの時間を示す敵攻撃ゲージ１０４とが備えられる。また、本例においては、プレイヤが操作するキャラクタであるプレイヤキャラクタＰＣも対戦画面に表示される。
【００４９】
図６に示すように、カード表示領域１０１には、１０枚のカードが表示される。ここで、本来、カード表示領域１００には、仮想カード情報が示すカードの絵柄が表示される。しかし、図６では、対戦におけるカードの利用方法についての説明を容易にするために、カード毎のスピードを示す記号（Ａ，Ｂ，Ｃ）を示す。なお、カードの表示態様はこれに限定されず、プレイヤが、対戦に用いられるカードを認識可能な表示形態であればよい。また、対戦相手のカードを表示する領域が設けられていても良い。
【００５０】
本例におけるビデオゲームでは、カード毎に設定された攻撃条件が満たされる度に（具体的には、スピードに応じた時間が経過する度に）、攻撃条件が満たされたカードに対応する攻撃内容が実行される。また、敵側が実行する攻撃も、敵キャラクタに設定されたスピードに応じた時間が経過したときに実行されるものとし、経過時間に応じて敵攻撃ゲージ１０４が変動するものとする。
【００５１】
対戦は、プレイヤまたは敵のＨＰが「０」になったときに決定される。なお、互いのＨＰの状態は、ＨＰゲージ１０２と敵キャラクタのＨＰゲージ１０４とで示される。
【００５２】
対戦では、同じタイミングで攻撃したカードの枚数によってコンボボーナスが決定される。コンボの数が多ければ多い程、すなわち同じタイミングで攻撃条件が満たされたカードが多い程、コンボボーナスは増加する。コンボボーナスの内容としては、各カードの攻撃力増加や、所定アイテムの獲得等、種々の内容が考えられる。
【００５３】
図７は、対戦におけるカードの利用方法について説明するための説明図である。ここでは、図７に示すように、スピードの異なる３種類のカードが対戦に用いられる場合を例にして説明を行なう。対戦に用いられるカードの種類が、スピードが「２秒」のカード（カードＡ）、スピードが「４秒」のカード（カードＢ）、スピードが「６秒」のカード（カードＣ）である場合、図７に示すように、対戦開始から（具体的には、攻撃までの時間の計時が開始されてから）１２秒間では、カードＡに対応する攻撃が６回発動し、カードＢに対応する攻撃が３回発動し、カードＣに対応する攻撃が２回発動する。そして、この期間で、コンボは４回（カードＡとカードＢによるコンボが２回、カードＡとカードＣによるコンボが１回、カードＡとカードＢとカードＣによるコンボが１回）発動する。
【００５４】
なお、図６に示すように、プレイヤが対戦に用いるカードとして予め選択したカード群の構成が、３枚のカードＡと、３枚のカードＢと、４枚のカードＣの場合、同種類のカードのみでのコンボは発動しないものとする。ただし、例えば２枚のカードＡと１枚のカードＢとが同じタイミングで攻撃条件を満たした場合、１枚のカードＡと１枚のカードＢとが同じタイミングで攻撃条件を満たした場合とは異なるコンボが発動するものとする。なお、コンボの発動方法はこれに限定されず、例えば、同種類のカードのみでもコンボが発動する構成としてもよいし、２枚のカードＡと１枚のカードＢとが同じタイミングで攻撃条件を満たした場合、１枚のカードＡと１枚のカードＢとでコンボが発動し、コンボとは別に１枚のカードＡに対応する攻撃が１回発動する構成としてもよい。
【００５５】
次に、本例のビデオゲーム処理装置１００の動作について説明する。
【００５６】
図８は、ビデオゲーム処理装置１００が実行するカード提供処理の例を示すフローチャートである。カード適用処理では、プレイヤに対してカードを提供するための処理が行われる。なお、本発明に関係しない処理については、その内容を省略している場合がある。
【００５７】
カード提供処理は、例えば、ビデオゲームの進行に応じて所定のカード提供条件が満たされたときに開始される。本例においては、制御部１１が、ビデオゲーム処理装置１００のユーザであるプレイヤＡによる仮想チケットの消費操作を受け付けたことに応じてカード提供処理を開始する場合を例にして説明を行なう。
【００５８】
カード提供処理において、先ず、制御部１１は、音楽情報記憶部１２ｄに記憶された音楽情報を参照して、音楽データ選択画面（図示せず）を表示部１３の表示画面に表示する（ステップＳ１０１）。音楽データ選択画面は、プレイヤによる音楽データの選択操作を受け付け可能な構成であればよく、必ずしも任意の音楽データを選択可能な構成である必要はない。すなわち、音楽データ選択画面には、音楽名が選択可能に表示されていてもよいし、ランダムに（または、特定の選択基準に従って）音楽データを選択する処理の実行要求を受け付けるボタンが表示されていてもよい。以下、本例においては、音楽データ選択画面として、音楽データを示す曲名が選択可能に表示される画面が表示画面に表示される場合を例にして説明を行なう。
【００５９】
音楽データ選択画面を表示すると、制御部１１は、音楽データの選択操作を受け付ける（ステップＳ１０２）。本例においては、制御部１１は、音楽データ選択画面に表示された曲名に対するタッチ操作を、音楽データの選択操作として受け付ける。
【００６０】
音楽データの選択操作を受け付けると、制御部１１は、選択された音楽データを再生する（ステップＳ１０３）。なお、このとき制御部１１が、音楽データを最初から最後まで再生する構成としてもよいし、冒頭部分やさび（または、さわり）の部分のみを再生する構成としてもよい。
【００６１】
音楽データの再生後（再生中または再生終了後）、制御部１１は、音楽情報記憶部１２ｄに記憶された音楽情報を参照して、選択された音楽データ（すなわち、再生中の音楽データまたは再生した音楽データ）の属性情報を特定する。本例においては、制御部１１は、選択された音楽データを示す音楽データ識別情報を特定し、特定した音楽データ識別情報に対応付けされた属性情報を検索することで、選択された音楽データの属性情報を特定する。
【００６２】
属性情報を特定すると、制御部１１は、音楽データが選択されたことにより被選択条件が満たされたカード群を検索する（ステップＳ１０５）。なお、本例においては、制御部１１は、選択された音楽データの属性情報が示す内容に基づいて、被選択条件が満たされたカード群が複数ある場合には、複数のカード群を選択可能に表示して、プレイヤＡによるカード群の選択操作を受け付けるものとする。また、例えば、選択された音楽データの属性情報が何も示していない場合や、属性情報が示す内容では被選択条件が満たされるカード群がない場合には、制御部１１は、所定のカード群を被選択条件が満たされたカード群とするものとする。
【００６３】
音楽データが選択されたことにより被選択条件が満たされたカード群を検索すると、制御部１１は、検索したカード群から所定数のカードを抽出する（ステップＳ１０６）。本例においては、制御部１１は、カード群に属するカードの中からランダムに１枚のカードを抽出する。
【００６４】
カード群から所定数のカードを抽出すると、制御部１１は、抽出したカードをプレイヤＡに提供して（ステップＳ１０７）、ここでの処理を終了する。本例においては、制御部１１は、抽出したカードを示すカード番号が所持カードに追加されるようにプレイヤ情報を更新する。
【００６５】
図９は、ビデオゲーム処理装置１００が実行する対戦処理の例を示すフローチャートである。対戦処理では、カードを用いた対戦を実行するための処理が行われる。なお、本発明に関係しない処理については、その内容を省略している場合がある。
【００６６】
対戦処理は、例えば、ビデオゲームの進行に応じてプレイヤ（または、プレイヤが操作するプレイヤキャラクタ）と敵キャラクタとの戦闘条件が満たされたときに開始される。以下、ビデオゲーム処理装置１００のユーザであるプレイヤＡが操作するプレイヤキャラクタＰＣと、制御部１１により制御される敵キャラクタＮＰＣとの戦闘が実行される場合を例にして説明を行う。
【００６７】
対戦処理において、先ず、制御部１１は、表示部１３の表示画面に対戦画面を表示する（ステップＳ２０１）。
【００６８】
図１０は、対戦画面の例について説明するための説明図である。ここでは、図６で示した対戦画面と異なる部分について説明する。なお、図６と図１０では、異なるスピードが設定されたカードがカード表示領域１０１に表示されているものとする。
【００６９】
図１０に示すように、対戦画面におけるカード表示領域１０１には、イラストが描かれたカード２０１と、スピードゲージ２０２とが複数表示される。なお、イラストとしては、カードに対応するキャラクタや仮想アイテムのほか、カードのレベルやカテゴリを示す絵が描かれていることが好ましい。
【００７０】
ここで、「スピードゲージ」とは、各カードの攻撃条件が満たされるまでの残り時間を示すゲージであり、時間の経過に応じて溜まっていき、カードに応じた攻撃内容が実行されると空になる。すなわち、１枚のカードの攻撃内容が実行された後、同じカードの攻撃内容が実行されるまでは、カードに設定されたスピードに応じた時間を要する。
【００７１】
対戦画面を表示すると、制御部１１は、カード表示領域１０１に表示されたカードの攻撃条件の充足判定を行うために、計時を開始する（ステップＳ２０２）。
【００７２】
計時を開始すると、制御部１１は、カード表示領域１０１に表示されたカードの中に、攻撃条件を満たすカードがあるか否かを判定する（ステップＳ２０３）。本例においては、制御部１１は、スピードゲージが満タンになっているカード（すなわち、対戦開始から、または一度攻撃内容が実行されてからスピードとして設定された時間が経過したカード）がある場合に、攻撃条件を満たすカードがあると判定する。
【００７３】
ここで、攻撃条件を満たすカードがあると判定すると（ステップＳ２０３のＹ）、制御部１１は、複数のカードが攻撃条件を満たしているか否かを判定する（ステップＳ２０４）。本例においては、制御部１１は、１秒単位で計時する計時手段（図示せず）により計時される時間に基づいて、同じタイミング（所定時間間隔内）で攻撃条件を満たしたカードが複数あるか否かを判定する。なお、ここでの判定については、制御部１１が、所定時間間隔内に攻撃条件を満たしたカードが複数あるか否かを判定する構成であればよく、例えば、所定時間間隔をプレイヤが設定可能な構成としてもよい。
【００７４】
ここで、複数のカードが攻撃条件を満たしていないと判定すると（ステップＳ２０４のＮ）、制御部１１は、攻撃条件を満たしているカードの攻撃内容を実行し（ステップＳ２０５）、後述するステップＳ２０８の処理に移行する。
【００７５】
一方、複数のカードが攻撃条件を満たしていると判定すると（ステップＳ２０４のＹ）、制御部１１は、コンボボーナスとして、複数のカードの組み合わせに応じたボーナス処理を選択する（ステップＳ２０６）。本例においては、制御部１１は、攻撃力の増加やＨＰの回復といった各種ボーナス処理と、複数のカードの組み合わせとが対応付けされた情報であるボーナス情報を参照して、攻撃条件を満たしている複数のカードの組み合わせに対応するボーナス処理を選択する。なお、図示しないが、ボーナス情報は、記憶部１２における所定の記憶領域に記憶されているものとする。なお、同じタイミングで攻撃条件を満たしたカードの数が多いほど（すなわち、コンボの数が多い程）、ボーナス処理をプレイヤにとって有益なものである構成とされていることが好ましい。
【００７６】
ボーナス処理を選択すると、制御部１１は、選択したボーナス処理を実行する（ステップＳ２０８）。
【００７７】
ボーナス処理を実行すると、制御部１１は、敵キャラクタのＨＰが所定値以下（本例においては、「０」）であるか否かを判定する（ステップＳ２０８）。ここで、ＨＰが所定値以下になっていないと判定すると（ステップＳ２０８のＮ）、制御部１１は、ステップＳ２０３の処理に移行する。
【００７８】
一方、ＨＰが所定値以下になっていると判定すると（ステップＳ２０８のＹ）、制御部１１は、ここでの処理を終了する。
【００７９】
以上に説明したように、上述した実施の形態では、ビデオゲームの進行を制御するビデオゲーム処理装置１００が、ビデオゲームにおける対戦に用いられる複数の仮想カードに関する仮想カード情報を記憶する仮想カード情報記憶部１２ａと、複数の仮想カードのうち少なくとも１つが属する仮想カード群を管理するための情報であって、複数の仮想カード群と、該複数の仮想カード群それぞれが選択される被選択条件とを示す仮想カード群管理情報を記憶する仮想カード群管理情報記憶部１２ｃと、ビデオゲームの進行と独立して再生可能な音楽データに関する情報であって、音楽の属性（例えば、ジャンル、歌手名、ボーカルの性別）を示す属性情報を含む音楽情報を記憶する音楽情報記憶部１２ｄとを備え、ビデオゲームを遊戯するプレイヤＡによる音楽データの選択操作を受け付け（例えば、ステップＳ１０２）、選択操作を受け付けたことに応じて、仮想カード群管理情報を参照し、被選択条件が満たされた仮想カード群を検索し（例えば、ステップＳ１０５）、所定の抽出規則に基づいて（例えば、ランダムに）、検索した仮想カード群に属する仮想カードの中から所定数（例えば、１枚）の仮想カードを抽出し（例えば、ステップＳ１０６）、抽出した仮想カードをプレイヤＡに提供する（ステップＳ１０７）構成としているので、新たなガシャシステムを実現することができるようになる。
【００８０】
すなわち、例えば、「ユーザが男性ボーカルの音楽を選択した場合には男性キャラクタを示すカードのみによって構成されるカード群から１枚のカードを提供する」といった新たなガチャシステムを実現することができるようになる。
【００８１】
また、上述した実施の形態では、ビデオゲーム処理装置１００が、受け付けた選択操作に応じた音楽データの属性情報を特定し（ステップＳ１０４）、特定した属性情報に基づいて被選択条件が満たされた仮想カード群を検索する構成としているので、プレイヤが選択した音楽に応じてプレイヤが取得し得るカードの種類を変えることができるようになるため、プレイヤに対して音楽を選択する楽しみを提供することができるようになり、ガチャシステムの趣向性を向上させることができるようになる。
【００８２】
また、上述した実施の形態では、ビデオゲーム処理装置１００が、所定の表示形態で音楽データが選択可能に表示される音楽データ選択画面を表示装置（例えば、表示部１３）の表示画面に表示し、音楽データ選択画面に対する選択操作を音楽データの選択操作として受け付ける構成としているので、プレイヤによる音楽データの選択作業を容易にすることができるようになる。
【００８３】
また、上述した実施の形態では、ビデオゲーム処理装置１００が、ビデオゲームの進行に応じてプレイヤＡに付与され得る仮想チケットがプレイヤＡにより使用されたか否かを判定し、仮想チケットが使用されたと判定した場合にカード提供処理を開始する（すなわち、音楽データ選択画面を表示する）構成としているので、ビデオゲームの進行（例えば、ビデオゲームの提供者が実施するイベントへの参加を含む）にユーザの関心を効果的に誘導することが可能なガチャシステムを実現することができるようになる。
【００８４】
なお、上述した実施の形態では特に言及していないが、ビデオゲーム処理装置１００が、ビデオゲームの進行とは独立して再生された音楽データの再生履歴を参照し、再生状況に応じて被選択条件が満たされた仮想カード群を検索し、検索した仮想カード群を選択可能に表示する仮想カード群選択画面を表示画面に表示し、特定の抽出規則に基づいて、プレイヤにより選択された仮想カード群に属する仮想カードの中から特定数の仮想カードを抽出する構成としてもよい。このような構成とすることにより、プレイヤに対してビデオゲームを行う動機を効果的に与えることができるようになる。
【００８５】
なお、上述した実施の形態では特に言及していないが、ビデオゲーム処理装置１００が、複数の音楽データの選択操作を受け付け、受け付けた選択操作が示す複数の音楽データの組み合わせに応じて被選択条件が満たされた仮想カード群を検索する構成としてもよい。このような構成とすることにより、検索されるカード群の予測困難性が高いガチャシステムを実現することができるようになる。
【００８６】
なお、上述した実施の形態では、ビデオゲーム処理装置１００がゲームカートリッジ２０から読み取ったゲームプログラムに基づいて上述したゲーム処理などの各種の処理を実行する構成としていたが、ビデオゲーム処理装置１００が、インターネットなどの通信ネットワークを介してゲームプログラムを取得するようにしてもよい。また、ビデオゲーム処理装置１００がゲームサーバとして機能し、通信ネットワークを介してゲームプログラムをゲーム端末に提供するようにしてもよい。
【００８７】
また、上述した実施の形態では、ビデオゲーム処理装置１００は、自己が備える記憶装置（記憶部１２）に記憶されている各種制御プログラム（例えば、ビデオゲーム処理プログラム）に従って、上述した各種の処理を実行する。
【産業上の利用可能性】
【００８８】
本発明は、新たなガシャシステムを実現したビデオゲーム処理装置を提供するのに有用である。
【符号の説明】
【００８９】
１０        ゲームプログラム読取部
１１        制御部
１２        記憶部
１３        表示部
１４        音声出力部
１５        プレイヤ操作受付部
１６        通信部
２０        ゲームカートリッジ
１００      ビデオゲーム処理装置
【図１】
0005475827.tif 000002
【図２】
0005475827.tif 000003
【図３】
0005475827.tif 000004
【図４】
0005475827.tif 000005
【図５】
0005475827.tif 000006
【図６】
0005475827.tif 000007
【図７】
0005475827.tif 000008
【図８】
0005475827.tif 000009
【図９】
0005475827.tif 000010
【図１０】
0005475827.tif 000011